(57)【要約】【課題】  開封を容易かつ安全に行えるキャップ、及び、複数の薬剤の混合前に使用に供するのを防止可能な薬剤収容容器を提供する。【解決手段】  収容容器本体１と相対回転可能であるキャップ本体４１と、キャップ本体４１が収容容器本体１に対して所定の回転位置にあるときに、キャップ本体４１から離脱して密封蓋部材の一部を露出させる離脱部材４２とを有するキャップ４０と、そのキャップ４０を設けてある薬剤収容容器Ｘ。【選択図】        図１
2005096862.tif 000002
【特許請求の範囲】
【請求項１】
液体を収容可能な容器本体に装着可能であると共に、前記容器本体の開口部を封止する密封蓋部材の外側に覆設可能なキャップにおいて、
前記キャップは、
前記容器本体と相対回転可能であるキャップ本体と、
前記キャップ本体が前記容器本体に対して所定の回転位置にあるときに、前記キャップ本体から離脱して前記密封蓋部材の一部を露出させる離脱部材とを有するキャップ。
【請求項２】
前記離脱部材が前記キャップ本体と共に回転可能に設けてある請求項１に記載のキャップ。
【請求項３】
前記離脱部材の少なくとも１つの端部が、前記キャップ本体の周囲の一部を占めるように構成してある請求項１又は２に記載のキャップ。
【請求項４】
請求項１〜３の何れか一項に記載のキャップを設けてある薬剤収容容器。
【請求項５】
前記容器本体が、第一薬剤を収容する第一収容部と、第二薬剤を収容すると共に前記第一収容部材と連通路を介して連通する第二収容部とを設けてあり、
前記連通路を封止する封止部材を設けると共に、前記封止部材は、前記連通路を封止した状態の封止姿勢と前記連通路の封止を解除した状態の開封姿勢とに切替自在に設けられ、
前記キャップ本体が前記容器本体に対して前記所定の回転位置に位置したときに、前記封止部材が開封姿勢となる請求項４に記載の薬剤収容容器。
【請求項６】
前記容器本体に、前記キャップ本体の相対回転を制限する回転制限部を設けてある請求項４又は５に記載の薬剤収容容器。
【発明の詳細な説明】
【技術分野】
【０００１】
本発明は、液体を収容可能な容器本体に装着可能であると共に、前記容器本体の開口部を封止する密封蓋部材の外側に覆設可能なキャップ、及び、このキャップを設けてある薬剤収容容器に関する。
【背景技術】
【０００２】
従来、点滴などの輸液用薬剤等の液体を収納する薬剤収容容器は、その開口部をゴム製等の蓋部材（ゴム栓等）で密封し、その容器の開口部と蓋部材とを、樹脂製或いは金属製のキャップで密閉するように覆っている。
薬剤収容容器の使用に際しては、キャップの一部を破断或いは分離して蓋部材の一部を露出させる。そして、その露出した部位の蓋部材に注射針を刺し、ゴム栓を開けることなく点滴に供するようにしている。
【０００３】
ここで、蓋部材を開けないのは、点滴に供するまでに、薬剤収容容器内の輸液用薬剤に異物が混入するのを防止して容器内が汚染するのを避けるためであり、蓋部材と薬剤収容容器の開口部とをキャップで密閉するように覆うのは、点滴に供するまでに、蓋部材の注射針を刺す場所が微生物等に汚染されて注射針から微生物が注射用薬液に混入するのを防止するためである。
【０００４】
このような薬剤収容容器に装着可能なキャップとして、例えば、輸液用プルトップ付きキャップ（例えば、特許文献１）、或いは、キャップに外力を加えてキャップの一部を脆弱部から破断して分離し、蓋部材の一部を露出させる構成（例えば、特許文献２〜３）が知られていた。
【０００５】
特許文献１の輸液用プルトップ付きキャップは、プルトップ構造を有する上側蓋体と、ボトル上端部に単独接合するフランジ部が形成された下側蓋体と、この下側蓋体の開口を封止する封口用フィルム上にゴム栓（蓋部材）を有するように構成されていた。
使用に際しては、上側蓋体に備えられている引き千切り片を引っ張ることにより上側蓋体を取り外し、輸液針を露出する蓋部材に差し込んでボトル内に貫通させていた。
【０００６】
また、特許文献２に開示のキャップは、キャップの頂面と基部との間に切断用の薄肉部を設け、キャップの頂面を蓋部材側に押すことによって薄肉の脆弱部を破断してキャップの頂面と基部とを分離し、蓋部材を露出させるように構成されていた。
さらに、特許文献３に開示のキャップは、キャップを上方に押すと、キャップの一部は脆弱部から破断され、蓋部材の天面が露出する構成となっていた。
【０００７】
従って、上述したキャップは、キャップを開封して点滴などに供するまで蓋部材或いは薬剤収容容器の内部が汚染するのを防止できると共に、キャップの開閉が容易に確認できる（未開封を確実に確認できる）構成となっていた。
【０００８】
一方、前記薬剤収容容器には、複数（例えば２種類）の薬剤を収容しており、未使用時には２種類の薬剤を別々の収容部に隔離した状態で収容し、使用時には２種類の薬剤を収容した収容部を無菌的に連通させてこれら薬剤を混合し、点滴などに供することが可能な形態が知られていた。
このような薬剤収容容器として、各収容部を連通する連通部の封止状態を回転操作により解除するもの（例えば、特許文献４）があった。
このような薬剤収容容器においては、複数の薬剤の混合を、キャップ部分の回転等の簡単な操作で行うことが可能となっていた。
【０００９】
【特許文献１】実開平３−９４２３４号公報（実用新案登録請求の範囲、第５頁、第１〜２図参照）
【００１０】
【特許文献２】特開平１０−３１０１６２号公報（特許請求の範囲、段落０００９〜００１３、図１〜５参照）
【００１１】
【特許文献３】実開平７−２１５６４号公報（段落０００６、図２参照）
【００１２】
【特許文献４】特許３２８１３８８号公報（第１３頁、第３１図参照）
【発明の開示】
【発明が解決しようとする課題】
【００１３】
特許文献４に開示の薬剤収容容器においては、複数の薬剤の混合前に蓋部材に注射針を刺す等して点滴使用に供する、といった誤操作をする虞があった。
【００１４】
そのため、キャップを開封して蓋部材が露出した時点（つまり、注射針を蓋部材に刺す直前）で、複数の薬剤の混合が完了している薬剤収容容器であれば、このような誤操作を防止できると考えられる。
【００１５】
他方、上述した薬剤収容容器に装着可能なキャップにおいては、キャップを開封して蓋部材を露出させる際に、プルトップの引き千切り片を引っ張る構成（特許文献１）、或いは、キャップに外力を加えてキャップの一部を破断或いは分離する構成（特許文献２〜３）であるため、開封には面倒な作業が必要であった。
さらに、特許文献２〜３に開示の密封容器のキャップの構成では、脆弱部を破断した際に形成される破断端部が残る問題があった。
【００１６】
本発明は、上記の課題に鑑みてなされたものであり、その目的は、開封を容易かつ安全に行えるキャップ、及び、複数の薬剤の混合前に使用に供するのを防止可能な薬剤収容容器を提供する点にある。
【課題を解決するための手段】
【００１７】
（構成１）
上記目的を達成するための本発明に係るキャップの第１特徴構成は、
液体を収容可能な容器本体に装着可能であると共に、前記容器本体の開口部を封止する密封蓋部材の外側に覆設可能なキャップにおいて、
前記キャップは、
前記容器本体と相対回転可能であるキャップ本体と、
前記キャップ本体が前記容器本体に対して所定の回転位置にあるときに、前記キャップ本体から離脱して前記密封蓋部材の一部を露出させる離脱部材とを有する点にある。
【００１８】
本構成のキャップは、キャップ本体と離脱部材とで構成しており、キャップ本体が容器本体に対する所定の回転位置以外にあるときには離脱部材はキャップ本体と一体化した状態にある。しかし、離脱部材は、キャップ本体が容器本体に対して所定の回転位置にあるときにキャップ本体から離脱するように構成してあり、キャップ本体を容器本体に対して所定の回転位置に達するまで相対回転させると、離脱部材はキャップ本体から離脱可能となる。
【００１９】
このように、本発明の第１特徴構成に記載のキャップであれば、キャップ本体を容器本体に対して相対回転させて所定の回転位置に位置させない限り、離脱部材を離脱させて密封蓋部材の一部を露出させることができないため、使用に際しては、キャップ本体を容器本体に対して意識的に相対回転させる動作が必ず必要となる。
そのため、作業者が点滴等の作業を始める前に誤って離脱部材を離脱させてしまったり、収容容器の搬送時等に離脱部材が離脱してしまう、といった不都合が発生することがない。従って、例えば、キャップ本体が密封蓋部材の外側に無菌的に覆設されているような場合、使用直前まで密封蓋部材の無菌状態を確実に維持することができる。
【００２０】
一方、キャップ本体を容器本体に対して相対回転させてキャップを開封する際においては、所定の回転位置まで回転させるだけでよいため開封作業が容易である。さらに、キャップの開封は、離脱部材が離脱することにより完了するため、破断端部等が生じることがない。そのため、開封を容易かつ安全に行えるキャップを提供することができる。
【００２１】
（構成２）
本発明に係るキャップの第２特徴構成は、上記第１特徴構成に加えて、
前記離脱部材が前記キャップ本体と共に回転可能に設けてある点にある。
【００２２】
本発明の第２特徴構成に記載のキャップであれば、離脱部材がキャップ本体と共に回転可能となり、キャップ本体が容器本体に対して所定の回転位置に達すると、キャップ本体から離脱部材が離脱可能となる。そのため、例えばキャップ本体のみを保持して容器本体に対して相対回転させれば、離脱部材を離脱可能な位置に到達させることができるため、離脱部材を離脱させる際の操作性が向上する。
【００２３】
（構成３）
本発明に係るキャップの第３特徴構成は、上記第１又は２特徴構成に加えて、
前記離脱部材の少なくとも１つの端部が、前記キャップ本体の周囲の一部を占めるように構成してある点にある。
【００２４】
本発明の第３特徴構成に記載のキャップであれば、離脱部材をキャップ本体から離脱させる際に、作業者が離脱部材の少なくとも１つの端部が位置するキャップ本体の周囲に手を添えると、離脱部材の少なくとも１つの端部を容易に保持することができる。そして、離脱部材の離脱方向に手を移動させると離脱部材をキャップ本体から容易かつ確実に離脱することができる。
【００２５】
（構成４）
上記目的を達成するための本発明に係る薬剤収容容器の第４特徴構成は、
上記第１〜３特徴構成の何れかのキャップを設けた薬剤収容容器とした点にある。
【００２６】
通常、薬剤を収容した容器は、使用直前まで厳密な無菌状態を維持することが要求される。そして、第１〜３特徴構成の何れかのキャップは、上述したように、使用に際してキャップ本体を容器本体に対して相対回転させる動作が必ず必要となるため、誤って離脱部材が離脱して開封状態となることがなくなり、使用直前まで密封蓋部材の無菌状態を確実に維持することができる。
つまり、本発明の第４特徴構成に記載の薬剤収容容器であれば、前記キャップを適用可能な薬剤収容容器となるため、使用直前まで確実に無菌状態を維持することができる薬剤収容容器となる。
さらに、この薬剤収容容器は開封を容易かつ安全に行えるキャップを備えるため、点滴などの使用に供し易い薬剤収容容器を提供することができる。
【００２７】
（構成５）
本発明に係る薬剤収容容器の第５特徴構成は、上記第４特徴構成に加えて、
前記容器本体が、第一薬剤を収容する第一収容部と、第二薬剤を収容すると共に前記第一収容部材と連通路を介して連通する第二収容部とを設けてあり、
前記連通路を封止する封止部材を設けると共に、前記封止部材は、前記連通路を封止した状態の封止姿勢と前記連通路の封止を解除した状態の開封姿勢とに切替自在に設けられ、
前記キャップ本体が前記容器本体に対して前記所定の回転位置に位置したときに、前記封止部材が開封姿勢となる点にある。
【００２８】
上述したように、キャップ本体が容器本体に対して所定の回転位置にあるとき、離脱部材はキャップ本体から離脱可能となっている。このとき、密封蓋部材の一部が露出可能となり、注射針等の液体移送手段を貫入できる状態となる。そして、キャップ本体が容器本体に対して所定の回転位置に位置したときに、封止部材が開封姿勢となるように構成されているため、第一薬剤は連通路を経て第二収容部材へと移動可能となり、第一薬剤と第二薬剤との混合は完了した状態となっている。
【００２９】
つまり、本発明の第５特徴構成に記載の薬剤収容容器であれば、離脱部材がキャップ本体より離脱可能で、かつ、液体移送手段を貫入できる状態になるタイミングと、第一薬剤と前記第二薬剤との混合が完了するタイミングとがほぼ一致する構成とすることができる。
この薬剤収容容器であれば、第一薬剤と第二薬剤との混合前に誤って液体移送手段を密封蓋部材に貫入させることはない。従って、第一薬剤と第二薬剤とを混合しないで患者に供するような誤操作を防止することができる。
【００３０】
（構成６）
本発明に係る薬剤収容容器の第６特徴構成は、上記第４又は５特徴構成に加えて、
前記容器本体に、前記キャップ本体の相対回転を制限する回転制限部を設けてある点にある。
【００３１】
本発明の第６特徴構成に記載の薬剤収容容器であれば、回転制限部を設けた所望の位置でキャップ本体の容器本体に対する相対回転を停止する等の制限を加えることができる。
例えば、離脱部材を離脱させる位置でキャップ本体の容器本体に対する相対回転を停止させるような位置に回転制限部を設ける構成とすれば、確実に離脱部材をキャップ本体から離脱させることができる。
【発明を実施するための最良の形態】
【００３２】
以下、本発明の実施例を図面に基づいて説明する。
図１〜６に、本発明の薬剤収容容器Ｘの概略図を示す。
薬剤収容容器Ｘは主として医療用に用いられ、例えば、液体として医療用輸液等の薬液を患者等に供するための容器である。本実施例における薬剤収容容器Ｘは、未使用時には複数の薬剤を別々の収容部材に隔離した状態で収容し、使用時には複数の薬剤を収容した収容部を無菌的に連通させてこれら薬剤を混合し、点滴などに供することが可能に構成されているものを示す。
【００３３】
薬剤収容容器Ｘは、キャップ４０と収容容器本体１とを有する。
キャップ４０は、収容容器本体１に装着可能であると共に、収容容器本体１の開口部１２を封止する密封蓋部材３０の外側に覆設可能に形成されている。覆設可能とは、密封蓋部材３０を覆うように設けてあることをいうものとする。このとき、キャップ４０は、密封蓋部材３０を無菌的に覆設するのが好ましい。
また、収容容器本体１は、複数（例えば２種類）の液体薬剤を別々に収容可能で、使用時にはこれら液体薬剤を無菌的に混合可能な形態とする。
【００３４】
この薬剤収容容器Ｘの使用に際して、キャップ４０を開封して密封蓋部材３０の一部を露出させ、その露出した箇所の密封蓋部材３０に注射針（液体移送手段）を貫入させ、ゴム栓を開けずに点滴に供するようにしている。
以下に、各部材の詳細を述べる。
【００３５】
キャップ
キャップ４０は、キャップ本体４１と離脱部材４２とを有する（図３参照）。
キャップ本体４１は、収容容器本体１と相対回転可能に構成されている。具体的には、収容容器本体１における第一収容部材１０の外周に設けられた装着係合部１１とキャップ本体係合部４３とが係合し、キャップ本体４１と収容容器本体１とが相対回転可能となっている。
後述するように、キャップ本体４１は熱可塑性材料で形成されている場合はある程度の変形が可能であるため、キャップ本体４１を収容容器本体１に装着する際にキャップ本体４１を押圧すると、キャップ本体係合部４３が装着係合部１１を乗り越えるように移動可能となる。このようにして、装着係合部１１とキャップ本体係合部４３とを係合させることができる。
【００３６】
離脱部材４２は、キャップ本体４１が収容容器本体１に対して所定の回転位置にあるときに、キャップ本体４１から離脱して密封蓋部材３０の一部を露出させるように構成されている。
【００３７】
離脱部材４２は、例えば、キャップ本体４１が円筒状で上面が平坦に形成される場合は、キャップ本体４１の上面形状に対応した板状の部材とし、離脱部材４２をキャップ本体４１から離脱させたときに、キャップ本体４１の一部が連通するように構成される。本実施例では、離脱部材４２の中央部４２ａが嵌め込まれているキャップ本体４１の中央孔部４１ａにおいて連通する場合を例示する。
【００３８】
キャップ本体４１を収容容器本体１に対して相対回転させるとき、離脱部材４２は、キャップ本体４１と共に回転可能となるように構成するのが好ましい。
このように構成すると、例えば、作業者がキャップ本体４１のみを保持して収容容器本体１に対して相対回転させれば、離脱部材４２を離脱可能な位置に到達させることができるため、離脱部材４２を離脱させる際の操作性が向上する。
【００３９】
また、離脱部材４２の少なくとも１つの端部４４が、キャップ本体４１の周囲４６の一部を占めるように構成する。
このように構成すると、離脱部材４２をキャップ本体４１から離脱させる際に、作業者が離脱部材４２の少なくとも１つの端部４４が位置するキャップ本体４１の周囲４６に手を添えると、離脱部材４２の少なくとも１つの端部４４を容易に保持することができる。そして、キャップ本体４１が収容容器本体１に対して所定の回転位置に達したときに離脱部材４２の離脱方向（図３：矢印方向）に手を移動させると、離脱部材４２をキャップ本体４１から容易かつ確実に離脱することができる。
本実施例では、このような端部を離脱部材４２の両端（４４ａ、４４ｂ）に設けた構成とする。
【００４０】
ここで、前記所定の回転位置とは、例えば、装着係合部１１の一部に設けた切欠部１４の位置とする。
このとき、離脱部材４２の両端部４４ａ、４４ｂに、装着係合部１１と係合する鍵部４５ａ、４５ｂをそれぞれ設ける。このように構成すると、離脱部材４２の鍵部４５が切欠部１４以外の場所に位置しているときは鍵部４５と装着係合部１１とが係合しているため、離脱部材４２はキャップ本体４１と一体化した状態とすることができる。
一方、キャップ本体４１を収容容器本体１に対して相対回転させ、離脱部材４２の鍵部４５が切欠部１４に位置するまで回転させると（つまり、キャップ本体４１が収容容器本体１に対して所定の回転位置にあるとき）、鍵部４５と装着係合部１１との係合が解除される。
そして、離脱部材４２は、キャップ本体４１から離脱可能となる。
【００４１】
そのため、離脱部材４２が所定の回転位置（鍵部４５と装着係合部１１との係合が解除される位置）以外で離脱するのを防止できる。
【００４２】
つまり、キャップ本体４１を収容容器本体１に対して相対回転させて所定の回転位置に位置させない限り、離脱部材４２を離脱させて密封蓋部材３０の一部を露出させることができないため、点滴に供する前には、キャップ本体４１を収容容器本体１に対して意識的に相対回転させる動作が必ず必要となる。そのため、作業者が点滴作業を始める前に誤って離脱部材４２を離脱させてしまう、或いは、薬剤収容容器Ｘの搬送時等に離脱部材４２が離脱してしまう、といった不都合が発生することがない。そのため、使用直前まで密封蓋部材３０の無菌状態を確実に維持することができる。
【００４３】
キャップ本体４１は密封蓋部材３０の外側に無菌的に覆設されているため、離脱部材４２がキャップ本体４１から離脱すると、キャップ本体４１が中央孔部４１ａにより連通して密封蓋部材３０の一部が露出することになる。
この時点で密封蓋部材３０は外部空気と接触して密封蓋部材３０の無菌状態は解除されたことになる。そして、直ちに露出した密封蓋部材３０に注射針を液体移送手段侵入部３１に貫入させると、注射針を貫入させる場所が微生物等に汚染されることは殆どないため、注射針から微生物の汚染源が注射用薬液に混入するのを防止できる。
【００４４】
一方、キャップ本体４１を収容容器本体１に対して相対回転させてキャップ４０を開封する際においては、キャップ本体４１を収容容器本体１に対して所定の回転位置まで回転させるだけでよいため開封作業が容易である。さらに、キャップ４０の開封は離脱部材４２が離脱することにより完了するため、破断端部等が生じることがなく、安全に開封作業を行える。
【００４５】
キャップ本体４１及び離脱部材４２の形成材料は、ポリエチレン、ポリエチレンーポリプロピレン、ポリプロピレン、ポリエチエチレンテレフタレート、ポリカーボネート等の熱可塑性材料等とすることが可能である。キャップ本体４１と離脱部材４２とは別部材であるため、異なる材料により形成することが可能である。
【００４６】
密封蓋部材
第一収容部材１０の連通路６０の反対側にある開口部１２は、密封蓋部材３０により封止されている（図２〜３参照）。
密封蓋部材３０は、ゴム材等の弾性材料で構成するのが好ましく、成形された密封蓋部材３０全体がある程度弾性変形可能に構成してある。このように弾性変形可能に成形することにより、密封蓋部材３０と第一収容部材１０の内面とが密着できるため、第一収容部材１０に収容されている第一薬剤が、第一収容部材１０から漏洩することを防止することができる。
また、例えば、密封蓋部材３０の中央部分には、注射針等の液体移送手段が貫入可能な液体移送手段侵入部３１を設けると、注射針を貫入させる部位を容易に認識することができる。
【００４７】
収容容器本体
上述したように、本実施例における薬剤収容容器Ｘは、未使用時には複数の薬剤を別々の収容部材（第一収容部材及び第二収容部材）に隔離した状態で収容し、使用時には複数の薬剤を収容した収容部を無菌的に連通させてこれら薬剤を混合可能な形態である。以下に、この構成を詳述する。
【００４８】
（第一収容部材及び第二収容部材）
複数の薬剤を混合する混合機構としては、２室を連通させる公知の方法を用いればよい。具体的には、回転操作により連通孔の封止部が剥離し２室が連通するもの（例えば、特許３２８１３８８号公報、特開２００１−１６１７９１号公報、特開平４−３２７８５０号公報、特開平４−３６７６６３号公報）、回転操作により連通孔の封鎖部材が連通孔に対し開放移動されるもの（例えば、特開平６−２２５９２０号公報、実公昭５１−３１２５２号公報）、２室の相対回動により閉鎖状態から連通状態に変わるもの（例えば、特開平４−３２９９５７号公報、特開平５−３９０５号公報）、押し込み操作により隔壁膜を破断して連通させるもの（例えば、実公昭５１−９５１０号公報）等がある。これらの仕組みを用いると、広いスペースを要せず、キャップ部分の回転や押込み等の簡単な操作で２液を混合することができる。
本実施形態では、２種類の液体薬剤を回転操作により混合可能な形態を例示する。
【００４９】
図１〜２に示したように、収容容器本体１は、第一薬剤を収容した第一収容部材１０と、第二薬剤を収容すると共に第一収容部材１０と連通路６０を介して連通する第二収容部材２０とを設けてある。
【００５０】
上述したように第一収容部材１０に設けられている開口部１２は密封蓋部材３０により密封封止されており、密封蓋部材３０を軸心周りに回動可能にキャップ本体４１が第一収容部材１０（収容容器本体１）に係合装着されている。
【００５１】
第一収容部材１０は第一薬剤を収容する薬剤収容空間１３、第二収容部材２０は第二薬剤を収容する薬剤収容空間２１をそれぞれ形成し、これら空間は、それぞれ、収容する薬剤の量に応じた容量に形成することが可能である。例えば、薬剤収容空間１３は２０ｍＬ、薬剤収容空間２１は４８０ｍＬの容量を有するように構成してある。
【００５２】
第一収容部材１０と第二収容部材２０とは一体成形した形態であってもよく、別部材として成形した後、連通路６０を介して連通するように接続する形態であってもよい。本実施例では、第一収容部材１０と第二収容部材２０とは別部材として成形した後、第一収容部材１０の下部と第二収容部材２０との上部とを嵌合させることにより接続したものを例示してある。
【００５３】
第一収容部材１０と第二収容部材２０とは任意の形状に成形することが可能であるが、第一収容部材１０は、密封蓋部材３０及びキャップ本体４１を回動させる必要があるため、円筒状に成形するのが好ましい。また、第二収容部材２０は、使用に際しての持ち運びに適した形状、例えば、円筒状、チューブ状の形状を採用することが可能である。
第一収容部材１０の外側面には、キャップ本体４１を係合装着可能な装着係合部１１を設けてある。
【００５４】
第一収容部材１０及び第二収容部材２０の形成材料は、ポリエチレン、ポリエチレンーポリプロピレン、ポリプロピレン、ポリエチエチレンテレフタレート、ポリカーボネート等の熱可塑性材料等とすることが可能である。
【００５５】
尚、第一薬剤及び第二薬剤は、医療用輸液等の液体薬剤に限られるものではなく、例えば、一方が固体、或いは、粉末状の薬剤とすることも可能である。
【００５６】
（封止部材）
連通路６０は、封止部材５０により封止或いは開封自在となる。つまり、封止部材５０は、連通路６０を封止した状態の封止姿勢（図４参照）と連通路６０の封止を解除した状態の開封姿勢（図５参照）とに切替自在に設けられている。
【００５７】
封止部材５０が封止姿勢である時には、二種類の薬剤を別々の収容空間（薬剤収容空間１３及び薬剤収容空間２１）に隔離した状態で収容可能となり、封止部材５０が開封姿勢である時には、二種類の薬剤を収容した収容空間を無菌的に連通させて二種類の薬剤を混合することが可能となる。
【００５８】
本実施例では、封止部材５０は、連通路６０を封止片により開閉することにより封止或いは開封自在に形成してある（図１〜２参照）。
そのため、連通路６０は、第一収容部材１０の下面（或いは第二収容部材２０の上面）に設けた隔壁６１に切り欠き部を設けて形成するのが好ましい。
【００５９】
封止片５０は、例えば、密封蓋部材３０に対して係合固定されており、第一収容部材１０に密封蓋部材３０およびキャップ本体４１を嵌着した状態で、隔壁６１に接当して連通路６０を封止可能な接当部５１を有する。
第一収容部材１０に対してキャップ本体４１を軸心周りに回動操作すると、接当部５１１の隔壁６１に対する接当姿勢を変更することができる。つまり、接当部５１は、隔壁６１の連通路６０を閉塞して第一薬剤と第二薬剤とを隔壁６１で仕切って別々に保存可能な状態（封止姿勢：図４参照）から、上記回動操作を実行することにより、連通路６０を連通させて第一薬剤と第二薬剤とを混合可能な状態（開封姿勢：図５参照）とに切替できるように構成してある。
【００６０】
そして、キャップ本体４１が収容容器本体１に対して前記所定の回転位置に位置したときに、封止片（封止部材）５０が開封姿勢となるように構成してある。
【００６１】
つまり、上述したように、キャップ本体４１が収容容器本体１に対して前記所定の回転位置にあるとき、鍵部４５と装着係合部１１との係合が解除され、離脱部材４２は、キャップ本体４１から離脱可能となっている。このとき、密封蓋部材３０の一部が露出可能となり、注射針を貫入できる状態となる。そして、キャップ本体４１が収容容器本体１に対して前記所定の回転位置にあるとき、封止片５０が開封姿勢となるように構成されているため、第一薬剤は連通路６０を経て第二収容部材２０へと移動し、第一薬剤と第二薬剤との混合は完了した状態となっている。
つまり、離脱部材４２がキャップ本体４１より離脱可能で、かつ、注射針を貫入できる状態になるタイミングと、第一薬剤と前記第二薬剤との混合が完了するタイミングとがほぼ一致する構成となる。
【００６２】
そのため、第一薬剤と第二薬剤との混合前に誤って注射針を密封蓋部材３０に貫入させることはない。従って、第一薬剤と第二薬剤とを混合しないで患者に供するような誤操作を防止することができる。
【００６３】
そして、好ましくは第一薬剤と第二薬剤とを充分に混合させた後、注射針を密封蓋部材３０に貫入した状態で薬剤収容容器Ｘを第一収容部材１０が下になるように転倒させると、第一薬剤と第二薬剤との混合薬剤は注射針を経て患者に供される（図６参照）。
【００６４】
（回転制限部）
収容容器本体１に、キャップ本体４１の相対回転を制限する回転制限部７０を設けるのが好ましい（図３〜５参照）。
例えば、離脱部材４２を離脱させる位置でキャップ本体４１の収容容器本体１に対する相対回転を停止させるように、収容容器本体１（例えば、第１収容部材１０の外側）に回転制限部７０を、キャップ本体４１に回転制限部７０と係合する係止部７１を、それぞれ設ける構成とする。このとき、回転制限部７０と係止部７１とが係合すればキャップ本体４１の収容容器本体１に対する相対回転が停止し（図５参照）、確実に離脱部材４２をキャップ本体４１から離脱させることができる。
【００６５】
（別実施例）
上述した実施例では、離脱部材４２をキャップ本体４１から離脱させる際には、作業者が手で離脱させる旨を例示したが、これに限られるものではない。その他の実施形態として、例えば、キャップ本体４１が収容容器本体１に対して所定の回転位置に達したときに、離脱部材４２が、離脱部材４２を押し上げる押上手段によりキャップ本体４１から離脱可能となるように構成することが可能である。
このように構成すると、キャップ本体４１が収容容器本体１に対して所定の回転位置に達すると、自動的に離脱部材４２がキャップ本体４１から離脱可能となるため、点滴等の作業効率が向上する。
【図面の簡単な説明】
【００６６】
【図１】本発明の薬剤収容容器の概略図
【図２】本発明の薬剤収容容器の要部概略図
【図３】本発明のキャップの概略図
【図４】封止部材の封止姿勢を示した要部概略図
【図５】封止部材の開封姿勢を示した要部概略図
【図６】本発明の薬剤収容容器を使用に供するときの要部概略図
【符号の説明】
【００６７】
１        収容容器本体
３０      密封蓋部材
４０      キャップ
４１      キャップ本体
４２      離脱部材
Ｘ        薬剤収容容器
【図１】
2005096862.tif 000003
【図２】
2005096862.tif 000004
【図３】
2005096862.tif 000005
【図４】
2005096862.tif 000006
【図５】
2005096862.tif 000007
【図６】
2005096862.tif 000008